(57)【要約】      （修正有）【課題】光ディスク挿入口がパネル等で覆われている光ディスク再生装置において、光ディスク挿入口が露出しているときの動作音を低減する。【解決手段】挿入口の前面に前面が配置された光ディスク再生装置において、前面パネルが完全に開いている状態か否かを完全開検出スイッチにより検出し、完全に開いている場合は、ディスクモータの回転数を予め定めた低倍速に低下させる。【選択図】図３
2009032314.tif 000002
【特許請求の範囲】
【請求項１】
情報が記録された光ディスクを挿入または排出するための挿入口と、前記挿入口を覆うカバー部と、前記挿入口が前記光ディスクを挿入または排出可能か否かを検出する挿排検出手段と、前記光ディスクを回転させる回転手段と、前記光ディスクから情報を読み出す読み出し手段と、前記読み出し手段が読み出した情報を再生する再生手段と、を備えた光ディスク再生装置において、
前記挿排検出手段が、挿入または排出可能であることを検出したときに、前記回転手段の回転数を予め定めた所定値以下とする回転制御手段を備えたことを特徴とする光ディスク再生装置。
【請求項２】
前記挿排検出手段が、前記カバー部が前記挿入口を露出させたことにより、挿入または排出可能であることを検出することを特徴とする請求項１に記載の光ディスク再生装置。
【請求項３】
前記予め定めた所定値以下の回転数が、前記再生手段において再生が可能な回転数以上であることを特徴とする請求項１または２に記載の光ディスク再生装置。
【請求項４】
情報が記録された光ディスクを挿入または排出するための挿入口を覆うカバー部を移動させて前記光ディスクを挿入し、回転させ、情報を読み出し、読み出した情報を再生する光ディスク再生方法において、
前記挿入口が前記光ディスクを挿入または排出可能であることを検出したときに、前記光ディスクの回転数を予め定めた所定値以下とすることを特徴とする光ディスク再生方法。
【請求項５】
情報が記録された光ディスクを挿入または排出するための挿入口と、前記挿入口を覆うカバー部と、前記挿入口が前記光ディスクを挿入または排出可能か否かを検出する挿排検出手段と、前記光ディスクを回転させる回転手段と、前記光ディスクから情報を読み出す読み出し手段と、を備えた光ディスク再生装置のコンピュータを、前記読み出し手段が読み出した情報を再生する再生手段として機能させる光ディスク再生プログラムにおいて、
前記挿排検出手段が、挿入または排出可能であることを検出したときに、前記回転手段の回転数を予め定めた所定値以下とする回転制御手段として前記コンピュータを機能させることを特徴とする光ディスク再生プログラム。
【請求項６】
請求項５に記載の光ディスク再生プログラムを格納したことを特徴とするコンピュータ読み取り可能な記録媒体。
【発明の詳細な説明】
【技術分野】
【０００１】
本発明は、光ディスクの情報を再生する光ディスク再生装置、光ディスク再生方法、光ディスク再生プログラムおよび光ディスク再生プログラムを格納した記録媒体に関する。
【背景技術】
【０００２】
従来、例えばＣＤなどの光ディスクが再生される光ディスク再生装置などにおいて、光ディスク挿入口を隠すようにパネルを設けて、挿入口を隠して再生し、光ディスクの挿入および排出時に移動させて挿入口を露出させる形態がある（例えば特許文献１参照）。
【０００３】
このような形態の光ディスク再生装置は、特に車載機器において、光ディスクの挿入口を隠せる分前面パネルのデザイン上の制約が少なくなることから用いられることが多い。
【特許文献１】特開２００２−２８８５９３号公報
【発明の開示】
【発明が解決しようとする課題】
【０００４】
上述した光ディスク再生装置において、例えば、複数種の光ディスクの挿入口があり、一方を再生したまま他方を挿入または排出するためや、該前面パネルの裏面に設けられた頻繁に操作の必要のないスイッチ等を操作するためなどに、前面パネルを開けたまま（挿入口を露出したまま）再生を継続することがある。
【０００５】
この場合、リッピングによってハードディスクなどにコピーを行っているときや、例えばナビゲーションの地図などデータ用の光ディスクなど、光ディスクが高倍速で回転している際は回転時の動作音が大きい。したがって、前面パネルを開いていると、この動作音が非常に耳障りであるという問題があった。
【０００６】
そこで、本発明は、例えば光ディスク挿入口がパネル等で覆われている光ディスク再生装置において、光ディスク挿入口が露出しているときの動作音を低減させることができる光ディスク再生装置、光ディスク再生方法、光ディスク再生プログラムおよび光ディスク再生プログラムを格納した記録媒体を提供することを課題とする。
【課題を解決するための手段】
【０００７】
上記課題を解決するために、請求項１に記載の光ディスク再生装置は、情報が記録された光ディスクを挿入または排出するための挿入口と、前記挿入口を覆うカバー部と、前記挿入口が前記光ディスクを挿入または排出可能か否かを検出する挿排検出手段と、前記光ディスクを回転させる回転手段と、前記光ディスクから情報を読み出す読み出し手段と、前記読み出し手段が読み出した情報を再生する再生手段と、を備えた光ディスク再生装置において、前記挿排検出手段が、挿入または排出可能であることを検出したときに、前記回転手段の回転数を予め定めた所定値以下とする回転制御手段を備えたことを特徴としている。
【０００８】
請求項４に記載の光ディスク再生方法は、情報が記録された光ディスクを挿入または排出するための挿入口を覆うカバー部を移動させて前記光ディスクを挿入し、回転させ、情報を読み出し、読み出した情報を再生する光ディスク再生方法において、前記挿入口が前記光ディスクを挿入または排出可能であることを検出したときに、前記光ディスクの回転数を予め定めた所定値以下とすることを特徴としている。
【０００９】
請求項５に記載の光ディスク再生プログラムは、情報が記録された光ディスクを挿入または排出するための挿入口と、前記挿入口を覆うカバー部と、前記挿入口が前記光ディスクを挿入または排出可能か否かを検出する挿排検出手段と、前記光ディスクを回転させる回転手段と、前記光ディスクから情報を読み出す読み出し手段と、を備えた光ディスク再生装置のコンピュータを、前記読み出し手段が読み出した情報を再生する再生手段として機能させる光ディスク再生プログラムにおいて、前記挿排検出手段が、挿入または排出可能であることを検出したときに、前記回転手段の回転数を予め定めた所定値以下とする回転制御手段として前記コンピュータを機能させることを特徴としている。
【発明を実施するための最良の形態】
【００１０】
以下、本発明の一実施形態にかかる光ディスク再生装置を説明する。本発明の一実施形態にかかる光ディスク再生装置は、挿排検出手段が、光ディスクの挿入または排出が可能であることを検出したときは、回転制御手段が、回転手段の回転数を予め定めた所定値以下とするように制御している。このようにすることによって、光ディスクの挿排が可能な状態であるときは、光ディスクの回転数を所定値以下に低下させるので、高回転による騒音を低減することができる。
【００１１】
また、挿排検出手段が、カバー部が挿入口を露出させたことにより、挿入または排出可能であると検出してもよい。このようにすることにより、カバー部が挿入口を覆っていない挿排が可能な状態であるときは、光ディスクの回転数を所定値以下に低下させるので、高回転による騒音を低減することができる。
【００１２】
また、予め定めた所定値以下の回転数が、再生手段において再生が可能な回転数以上であってもよい。このようにすることにより、回転数を低下させても再生を継続することができる。
【００１３】
また、本発明の一実施形態にかかる光ディスク再生方法は、光ディスクの挿入または排出が可能であることを検出したときは、光ディスクの回転数を予め定めた所定値以下とするように制御している。このようにすることによって、光ディスクの挿排が可能な状態であるときは、光ディスクの回転数を所定値以下に低下させるので、高回転による騒音を低減することができる。
【００１４】
また、本発明の一実施形態にかかる光ディスク再生プログラムは、挿排検出手段が、光ディスクの挿入または排出が可能であることを検出したときは、回転制御手段が、回転手段の回転数を予め定めた所定値以下とするように制御している。このようにすることによって、光ディスクの挿排が可能な状態であるときは、光ディスクの回転数を一定値以下に低下させるので、高回転による騒音を低減することができる。
【００１５】
また、請求項５に記載の光ディスク再生プログラムを記録媒体に格納してもよい。このようにすることにより、光ディスク再生プログラムを機器に組み込む以外に単体でも流通させることができ、バージョンアップ等も容易に行える。
【実施例】
【００１６】
本発明の一実施例にかかる光ディスク再生装置１を図１および図３を参照して説明する。光ディスク再生装置１は、ＤＶＤ、ＣＤ等の光ディスク１２が再生可能な装置である。図１は光ディスク再生装置１の側面図を示し、図２は光ディスク再生装置１のブロック図を示している。図３は光ディスク再生装置１の再生動作を示すフローチャートである。
【００１７】
光ディスク再生装置１は、図１に示すように、筐体２０と、前面パネル２１と、を備えている。
【００１８】
筐体２０は、前面パネル２１と向かい合う前面部２０ａに光ディスク１２を筐体２０内に挿入または排出するためのスリット状の挿入口２０ａ１が設けられている。前面部２０ａの挿入口２０ａ１の下部には、完全閉検出スイッチ４が設けられ、さらに、完全閉検出スイッチ４よりも下部には、完全開検出スイッチ３が設けられている。
【００１９】
挿排検出手段としての完全開検出スイッチ３は、メカニカルスイッチで構成され、前面パネル２１が完全に開いている状態か否かを検出している。ここで、完全に開いている状態とは、光ディスク１２の挿入および排出が可能である位置に前面パネル２１が位置している状態をいう。
【００２０】
挿排検出手段としての完全閉検出スイッチ４は、メカニカルスイッチで構成され、前面パネル２１が完全に閉じている状態か否かを検出している。ここで、完全に閉じている状態とは、光ディスク１２の挿入および排出が不可能である位置に前面パネル２１が位置している状態をいう。
【００２１】
筐体２０内には、挿入された光ディスク１２を再生位置にロード／イジェクトする図示しない機構部品や、回転させるディスクモータ６などの機構部品および光ピックアップや電子部品を備えた図示しない基板などが設けられている。
【００２２】
カバー部としての前面パネル２１は、筐体２０の前面部２０ａと向かい合う位置に設けられ、下部に設けられた軸２１ａを中心に回転することで挿入口２１ａ１を露出させる。また、カバー部２１は正面部、つまり軸２１ａを中心に回転して水平になった際に下側になる面に動作や光ディスク１２の内容などを表示する表示部と各種操作に用いられるボタンなどが設けられている。さらに、筐体２０の前面部２０ａと向かい合う面には、頻繁に操作の必要のない機能のボタンなどが設けられている。
【００２３】
また、前面パネル２１は、筐体２０の前面部２０ａと向かい合う面に突起部２１ｂ、２１ｃが設けられている。突起部２１ｂは、筐体２０の前面部２０ａと向かい合ったときに完全閉検出スイッチ４に対応する位置に設けられ、突起部２１ｃは、筐体２０の前面部２０ａと向かい合ったときに完全開検出スイッチ３に対応する位置に設けられている。すなわち、前面パネル２１が完全に閉まると完全閉検出スイッチ４が突起部２１ｂによって押圧されるので、完全に閉じていることを検出でき、前面パネル２１が完全に開くと完全開検出スイッチ３が突起部２１ｂによって押圧されなくなるので、完全に開いていることを検出できる。
【００２４】
次に光ディスク再生装置１のブロック構成を図２を参照して説明する。光ディスク再生装置１は図２に示すように、ＣＰＵ２と、完全開検出スイッチ３と、完全閉検出スイッチ４と、ドライバ５と、ディスクモータ６と、光ピックアップ７と、サーボ制御部を含んだ信号処理部８と、ハードディスクドライブ９と、アンプ１０と、を備えている。
【００２５】
回転制御手段としてのＣＰＵ２は、ＲＡＭやＲＯＭなどのメモリを内蔵し、光ディスク１２の挿入や排出、再生や停止などの各操作における光ディスク再生装置１全体の制御など行い、本実施例においては特に光ディスク１２の前面パネル２１が完全開状態または完全閉状態の判断および、信号処理部８のディスク回転制御機能を制御することによってディスクモータ６の回転数の制御を行っている。
【００２６】
ドライバ５は、信号処理部８から入力された制御信号に基づいてディスクモータ６、光ピックアップ７に対するドライブ信号を生成し出力する。
【００２７】
回転手段としてのディスクモータ６は、光ディスク再生装置１にセットされた光ディスク１２を回転させるためのモータであり、スピンドルモータなどで構成されている。また、ディスクモータ６の回転数は等倍速の任意の倍数に回転数を変化させることができる。
【００２８】
読み出し手段としての光ピックアップ７は、光ディスク１２に照射するレーザ光を発生させる図示しないレーザダイオードや、光ディスク１２上にレーザダイオードからのレーザ光を照射するための対物レンズ、また、フォーカス方向やトラッキング方向に対物レンズを駆動するためのアクチュエータおよび光ディスク１２から反射された反射光を受ける受光器などを備え、受光器の出力から光ディスク１２に記録されている映像や音楽などを含むＲＦ信号を生成し信号処理部８へ出力する。
【００２９】
再生手段としての信号処理部８は、光ピックアップ７から入力されたＲＦ信号をアナログ／デジタル変換してエラー訂正などを行った後復調や復号を行いハードディスクドライブ９へ出力する。また、ハードディスクドライブ９から読み出したデータをデジタル／アナログ変換を行いアンプ１０へ出力する。ハードディスクドライブ９へ出力するのはリッピングを行う場合であり、光ディスク１２から読み出したデータを等倍速で直接再生する際には、ハードディスクドライブ９に出力せずにそのままデジタル／アナログ変換を行った後アンプ１０へ出力する。また、光ピックアップ７から入力された信号やＣＰＵからの制御に基づいてドライバ５に対する制御信号を出力する。
【００３０】
ハードディスクドライブ９は、光ディスク１２から高倍速で読み出したデータを蓄積する。一度蓄積されたデータは、以降光ディスク１２からではなく、ハードディスクドライブ９から読み出す。
【００３１】
アンプ１０は、信号処理部８から入力されたアナログ信号を所定量増幅しスピーカ１１に出力する。
【００３２】
次に、上述した構成の光ディスク再生装置１の再生動作を図３のフローチャートを参照して説明する。本フローチャートはＣＰＵ２が実行する。
【００３３】
まず、ステップＳ１において、ユーザの操作により光ディスク再生の命令がなされたことを検出してステップＳ２に進む。
【００３４】
次に、ステップＳ２において、前面パネルがＯｐｅｎ（完全開）であるか否かを判断し、Ｏｐｅｎの場合（ＹＥＳの場合）は、ステップＳ３に進み、Ｃｌｏｓｅの場合（ＮＯの場合）は、ステップＳ４に進む。本ステップでは完全開検出スイッチ３が押圧されていない場合はＯｐｅｎであると判断し、それ以外の状態はＣｌｏｓｅであると判断する。
【００３５】
次に、ステップＳ３において、前面パネル２１がＯｐｅｎ状態のため光ディスク１２の回転速度を予め定めた所定値としての低倍速に設定して再生し、ステップＳ５に進む。低倍速とは数倍〜等倍速程度の再生による動作音が大きくないと感じられる回転数である。ただし、元々低倍速の範囲で再生を行っていた場合は変化させない。
【００３６】
ステップＳ４においては、前面パネル２１がＣｌｏｓｅ状態のため光ディスク１２の回転速度を高倍速に設定して再生し、ステップＳ５に進む。高倍速とは、リッピング時など、光ディスク１２からのデータの転送効率が良くなる回転数である。また、このときの回転数は光ディスク１２の種類や動作（ＣＤかＤＶＤか、ＲＯＭディスクか音楽ディスクか、リッピングか通常再生かなど）によって予め最適な値がそれぞれ設定されている。したがって、前面パネルがＯｐｅｎ状態からＣｌｏｓｅ状態になったときには、低倍速から高倍速に回転数を上げる。ただし、元々低倍速で再生していた場合は回転数を上げる必要はない。
【００３７】
次に、ユーザが停止ボタンを操作したことなどにより再生停止命令が発せられたか否かを判断し、発せられた場合（ＹＥＳの場合）はステップＳ６に進み、発せられていない場合（ＮＯの場合）はステップＳ２に戻る。
【００３８】
次に、ステップＳ６において、再生を停止させる。
【００３９】
本実施例によれば、挿入口２０ａ１の前面に前面パネル２１が配置された光ディスク再生装置１において、前面パネル２１が完全に開いている状態か否かを完全開検出スイッチ３により検出し、完全に開いている場合は、ディスクモータ６の回転数を予め定めた低倍速に低下させることで、リッピングや地図データの読み込みなどの際の高速回転による動作音を低減させることができる。
【００４０】
なお、上述した実施例では、挿入口２０ａ１が露出したことを検出するのに完全開検出スイッチ３と完全閉検出スイッチ４との２つを用いていたが、それに限らず、１つのスイッチでも良い。要するに挿入口２０ａ１が完全に露出して光ディスク１２の挿入、排出が可能であることを検出できれば良い。
【００４１】
また、上述した実施例では、表示部や操作スイッチ等が設けられた前面パネル２１であったが、単に挿入口２０ａ１を覆うカバーなどであっても良い。また、特許文献１に記載されているような前面パネルが軸を中心として回転しつつ当該軸が固定された支持部が移動することで挿入口を露出するような形態にも適用できる。
【００４２】
また、前面パネル２１がＯｐｅｎ状態の場合は、Ｃｌｏｓｅ状態にすることをインジケータなどによる表示や音声などによってユーザ等に促しても良い。このようにすることにより低倍速の期間を短くすることができるので高倍速による再生に早期に復帰することができる。
【００４３】
また、高倍速で光ディスク１２から読み込んだデータをメモリなどのバッファに記憶した後に等倍速で再生するようにしている場合は、当該バッファを用いた再生が可能な間は光ディスクの回転を停止または低速回転しても良い。このようにすることにより、さらに動作時の騒音を低減することができる。
【００４４】
前述した実施例によれば、以下の光ディスク再生装置と光ディスク再生方法および光ディスク再生プログラムが得られる。
【００４５】
（付記１）情報が記録された光ディスク１２を挿入または排出するための挿入口２０ａ１と、挿入口２０ａ１を覆う前面パネル２１と、挿入口２０ａ１が光ディスク１２を挿入または排出可能か否かを検出する完全開検出スイッチ３と、完全閉検出スイッチ４と、光ディスク１２を回転させるディスクモータ６と、光ディスク１２から情報を読み出す光ピックアップ７と、光ピックアップ７が読み出した情報を再生する信号処理部８と、を備えた光ディスク再生装置１において、
完全開検出スイッチ３と、完全閉検出スイッチ４が、挿入または排出可能であることを検出したときに、ディスクモータ６の回転数を予め定めた所定値以下とするＣＰＵ２を備えたことを特徴とする光ディスク再生装置１。
【００４６】
この光ディスク再生装置１によれば、光ディスク１２の挿排が可能な状態であるときは、光ディスク１２の回転数を一定値以下に低下させるので、高回転による騒音を低減することができる。
【００４７】
（付記２）情報が記録された光ディスク１２を挿入または排出するための挿入口２０ａ１を覆う前面パネル２１を移動させて光ディスク１２を挿入し、回転させ、情報を読み出し、読み出した情報を再生する光ディスク再生方法において、
挿入口２０ａ１が光ディスク１２を挿入または排出可能であることを検出したときに、光ディスク１２の回転数を予め定めた所定値以下とすることを特徴とする光ディスク再生方法。
【００４８】
この光ディスク再生方法によれば、光ディスク１２の挿排が可能な状態であるときは、光ディスク１２の回転数を一定値以下に低下させるので、高回転による騒音を低減することができる。
【００４９】
（付記３）情報が記録された光ディスク１２を挿入または排出するための挿入口２０ａ１と、挿入口２０ａ１を覆うカバー部と、挿入口２０ａ１が光ディスク１２を挿入または排出可能か否かを検出する完全開検出スイッチ３と、完全閉検出スイッチ４と、光ディスク１２を回転させるディスクモータ６と、光ディスク１２から情報を読み出す光ピックアップ７と、を備えた光ディスク再生装置１のコンピュータを、光ピックアップ７が読み出した情報を再生する信号処理部８として機能させる光ディスク再生プログラムにおいて、
完全開検出スイッチ３と、完全閉検出スイッチ４が、挿入または排出可能であることを検出したときに、ディスクモータ６の回転数を予め定めた所定値以下とするＣＰＵ２として前記コンピュータを機能させることを特徴とする光ディスク再生プログラム。
【００５０】
この光ディスク再生プログラムによれば、光ディスク１２の挿排が可能な状態であるときは、光ディスク１２の回転数を一定値以下に低下させるので、高回転による騒音を低減することができる。
【００５１】
なお、前述した実施例は本発明の代表的な形態を示したに過ぎず、本発明は、実施例に限定されるものではない。すなわち、本発明の骨子を逸脱しない範囲で種々変形して実施することができる。
【図面の簡単な説明】
【００５２】
【図１】本発明の一実施例にかかる光ディスク再生装置の側面図である。
【図２】図１に示された光ディスク再生装置のブロック図である。
【図３】図１に示された光ディスク再生装置の動作を示すフローチャートである。
【符号の説明】
【００５３】
１        光ディスク再生装置
２        ＣＰＵ（回転制御手段）
３        完全開検出スイッチ（挿排検出手段）
４        完全閉検出スイッチ（挿排検出手段）
６        ディスクモータ（回転手段）
７        光ピックアップ（読み出し手段）
８        信号処理部（再生手段）
１２      光ディスク
２０ａ１  挿入口
２１      前面パネル（カバー部）
【図１】
2009032314.tif 000003
【図２】
2009032314.tif 000004
【図３】
2009032314.tif 000005